(57)【要約】【課題】１つの放送波を介して受信機ごとに異なるコンテンツを配信するために適したコンテンツ配信システムを提供すること。【解決手段】コンテンツ管理サーバ１０は、デジタル放送受信機３０から所定の範囲内に位置する１以上の携帯端末８１、８２に応じたコンテンツを指定するコンテンツ識別情報とデジタル放送受信機３０の受信機識別情報とをデジタル放送送信機２０に通知し、デジタル放送送信機２０は、通知された前記受信機識別情報とストリーム９５との関連付けを示す制御情報９４を送信するとともに、通知された前記コンテンツ識別情報で指定されるコンテンツをストリーム９５で送信し、デジタル放送受信機３０は、制御情報９４によって前記受信機識別情報に関連付けられたストリーム９５から前記コンテンツを取得して再生する。【選択図】図１
2015226245.tif 000002
【特許請求の範囲】
【請求項１】
コンテンツの配信を管理するコンテンツ管理サーバと、
前記コンテンツを送信するデジタル放送送信機と、
受信機識別情報が定められたデジタル放送受信機と、
を備え、
前記コンテンツ管理サーバは、
複数の携帯端末の各々の現在位置を表す位置情報と前記デジタル放送受信機の設置場所を表す設置情報とを用いて、前記複数の携帯端末の中で前記デジタル放送受信機から所定の範囲内に位置する１以上の携帯端末を特定し、
特定された前記携帯端末に応じたコンテンツを指定するコンテンツ識別情報と前記デジタル放送受信機の受信機識別情報とを前記デジタル放送送信機に通知し、
前記デジタル放送送信機は、
通知された前記受信機識別情報とストリームとの関連付けを示す制御情報と、通知された前記コンテンツ識別情報で指定されるコンテンツを格納した前記ストリームとを、デジタル放送信号に多重化して送信し、
前記デジタル放送受信機は、
前記デジタル放送信号を受信し、受信された前記デジタル放送信号内の前記制御情報によって前記受信機識別情報に関連付けられた前記ストリームから前記コンテンツを取得して再生する、
コンテンツ配信システム。
【請求項２】
前記コンテンツ配信システムにおいて、ＩＳＯ／ＩＥＣ１３８１８−１で規定されるデータ構造に適合し、かつ前記デジタル放送受信機の前記受信機識別情報を表す宛先受信機記述子が定義され、
前記デジタル放送送信機は、
前記宛先受信機記述子をＩＳＯ／ＩＥＣ１３８１８−１で規定されるＴＳ＿ｐｒｏｇｒａｍ＿ｍａｐ＿ｓｅｃｔｉｏｎ内の１つのエレメンタリストリームに関するｄｅｓｃｒｉｐｔｏｒに格納し、
前記コンテンツを前記エレメンタリストリームに格納し、
前記ＴＳ＿ｐｒｏｇｒａｍ＿ｍａｐ＿ｓｅｃｔｉｏｎと前記エレメンタリストリームとをトランスポートストリームに多重化して送信する、
請求項１に記載のコンテンツ配信システム。
【請求項３】
前記デジタル放送送信機は、さらに、
ＩＳＯ／ＩＥＣ１３８１８−６で規定されるＤＳＭ−ＣＣを識別するための定数を前記ＴＳ＿ｐｒｏｇｒａｍ＿ｍａｐ＿ｓｅｃｔｉｏｎ内の前記エレメンタリストリームに関するｓｔｒｅａｍ＿ｔｙｐｅに格納し、
前記コンテンツを、ＩＳＯ／ＩＥＣ１３８１８−６で規定されるＤＳＭＣＣ  ｓｅｃｔｉｏｎのデータ構造に従って、前記エレメンタリストリームに格納する、
請求項２に記載のコンテンツ配信システム。
【請求項４】
前記デジタル放送受信機は、電子看板であり、
前記複数のコンテンツは、複数の広告コンテンツであり、
前記コンテンツ配信システムは、前記電子看板から所定の範囲内に位置する１以上の携帯端末に応じた広告コンテンツを、前記電子看板に配信する、
請求項１から３の何れか１項に記載のコンテンツ配信システム。
【請求項５】
自装置を識別する受信機識別情報を保持している記憶部と、
コンテンツが格納されたストリームと前記コンテンツの宛先となるデジタル放送受信機を識別する受信機識別情報との関連付けを示す制御情報と、前記ストリームとが多重化されたデジタル放送信号を受信する受信部と、
前記記憶部に保持されている前記受信機識別情報と前記制御情報で示される前記受信機識別情報とを比較し、両方の前記受信機識別情報が等しいときに前記制御情報で示される前記ストリームから前記コンテンツを取得し、取得された前記コンテンツを再生する処理部と、
再生された前記コンテンツを提示する提示部と、
を備えるデジタル放送受信機。
【発明の詳細な説明】
【技術分野】
【０００１】
本発明は、コンテンツ配信システムに関し、特には、１つの放送波を介して受信機ごとに異なるコンテンツを配信する技術に関する。
【背景技術】
【０００２】
従来、携帯端末から得られる位置情報を用いて、電子看板の近傍に存在する携帯端末の利用者に適したコンテンツを、ネットワークを介して当該電子看板に配信する技術が知られている（例えば、特許文献１）。
【０００３】
また、各電子看板をネットワークに接続するためのコストを削減すべく、地上デジタル放送を利用して、１つの放送波を受信する複数の電子看板に互いに異なるコンテンツを配信可能にする技術も知られている（例えば、特許文献２）。
【０００４】
特許文献２では、コンテンツと制御情報とが地上デジタル放送で配信される。
【０００５】
前記コンテンツは、特定の電子看板にて表示されるべきコンテンツを表し、マルチ編成放送を構成する複数のチャンネルのうちの１つのチャンネル、又はデータ放送で伝送される。前記制御情報は、前記コンテンツが宛てられた電子看板と前記コンテンツが配信される時間帯との関連付けを表し、データ放送で伝送される。
【０００６】
電子看板は、前記制御情報をあらかじめ受信することにより、自らに宛てられたコンテンツ情報が配信される時間帯を知り、当該時間帯に配信されているコンテンツ情報を選択的に受信して蓄積し、再生する。
【先行技術文献】
【特許文献】
【０００７】
【特許文献１】特開２０１０−２１１５４７号公報
【特許文献２】特開２０１０−２１９００号公報
【発明の概要】
【発明が解決しようとする課題】
【０００８】
しかしながら、従来の技術では、電子看板ごとに割り当てられる時間帯で当該電子看板に宛てられるコンテンツを配信するため、電子看板ごとの配信時間帯の管理が煩雑であり、また、配信時間帯の制約を受けるために、コンテンツを効率よく柔軟に配信することが難しい。
【０００９】
そこで、本発明は、１つの放送波を介して受信機ごとに異なるコンテンツを配信するために適したコンテンツ配信システムを提供することを目的とする。
【課題を解決するための手段】
【００１０】
上記目的を達成するために、本発明の一態様に係るコンテンツ配信システムは、コンテンツの配信を管理するコンテンツ管理サーバと、前記コンテンツを送信するデジタル放送送信機と、受信機識別情報が定められたデジタル放送受信機と、を備え、前記コンテンツ管理サーバは、複数の携帯端末の各々の現在位置を表す位置情報と前記デジタル放送受信機の設置場所を表す設置情報とを用いて、前記複数の携帯端末の中で前記デジタル放送受信機から所定の範囲内に位置する１以上の携帯端末を特定し、特定された前記携帯端末に応じたコンテンツを指定するコンテンツ識別情報と前記デジタル放送受信機の受信機識別情報とを前記デジタル放送送信機に通知し、前記デジタル放送送信機は、通知された前記受信機識別情報とストリームとの関連付けを示す制御情報と、通知された前記コンテンツ識別情報で指定されるコンテンツを格納した前記ストリームとを、デジタル放送信号に多重化して送信し、前記デジタル放送受信機は、前記デジタル放送信号を受信し、受信された前記デジタル放送信号内の前記制御情報によって前記受信機識別情報に関連付けられた前記ストリームから前記コンテンツを取得して再生する。
【００１１】
このような構成によれば、宛先受信機記述子がコンテンツ配信用のストリームに関連付けられるので、コンテンツを配信する時間帯をデジタル放送受信機ごとに管理する必要がなく、また、複数のデジタル放送受信機に宛てられたコンテンツを、時間帯の制約を受けることなく、効率よく柔軟に多重化して配信することが可能になる。
【００１２】
また、例えば、前記コンテンツ配信システムにおいて、ＩＳＯ／ＩＥＣ１３８１８−１で規定されるデータ構造に適合し、かつ前記デジタル放送受信機の前記受信機識別情報を表す宛先受信機記述子が定義され、前記デジタル放送送信機は、前記宛先受信機記述子をＩＳＯ／ＩＥＣ１３８１８−１で規定されるＴＳ＿ｐｒｏｇｒａｍ＿ｍａｐ＿ｓｅｃｔｉｏｎ内の１つのエレメンタリストリームに関するｄｅｓｃｒｉｐｔｏｒに格納し、前記コンテンツを前記エレメンタリストリームに格納し、前記ＴＳ＿ｐｒｏｇｒａｍ＿ｍａｐ＿ｓｅｃｔｉｏｎと前記エレメンタリストリームとをトランスポートストリームに多重化して送信してもよい。
【００１３】
このような構成によれば、前記コンテンツ配信システムにおいて、デジタル放送の規格に適合する態様で、前述の効果が発揮される。
【００１４】
また、例えば、前記デジタル放送送信機は、さらに、ＩＳＯ／ＩＥＣ１３８１８−６で規定されるＤＳＭ−ＣＣを識別するための定数を前記ＴＳ＿ｐｒｏｇｒａｍ＿ｍａｐ＿ｓｅｃｔｉｏｎ内の前記エレメンタリストリームに関するｓｔｒｅａｍ＿ｔｙｐｅに格納し、前記コンテンツを、ＩＳＯ／ＩＥＣ１３８１８−６で規定されるＤＳＭＣＣ  ｓｅｃｔｉｏｎのデータ構造に従って、前記エレメンタリストリームに格納してもよい。
【００１５】
このような構成によれば、コンテンツがデータカルーセル伝送方式で送信されるので、制御プログラムによって、事前にコンテンツを受信して保存しておき、指定の時間に再生することができる。
【００１６】
また、例えば、前記デジタル放送受信機は、電子看板であり、前記複数のコンテンツは、複数の広告コンテンツであり、前記コンテンツ配信システムは、前記電子看板から所定の範囲内に位置する１以上の携帯端末に応じた広告コンテンツを、前記電子看板に配信してもよい。
【００１７】
このような構成によれば、前記コンテンツ配信システムを、デジタルサイネージシステムとして利用できる。
【００１８】
また、本発明の一態様に係るデジタル放送受信機は、自装置を識別する受信機識別情報を保持している記憶部と、コンテンツが格納されたストリームと前記コンテンツの宛先となるデジタル放送受信機を識別する受信機識別情報との関連付けを示す制御情報と、前記ストリームとが多重化されたデジタル放送信号を受信する受信部と、前記記憶部に保持されている前記受信機識別情報と前記制御情報で示される前記受信機識別情報とを比較し、両方の前記受信機識別情報が等しいときに前記制御情報で示される前記ストリームから前記コンテンツを取得し、取得された前記コンテンツを再生する処理部と、再生された前記コンテンツを提示する提示部と、を備える。
【００１９】
このような構成によれば、前述のコンテンツ配信システムにおいて送信されるデジタル放送信号から、自装置に宛てられたコンテンツを適切に取得するデジタル放送受信機が得られる。
【００２０】
なお、本発明は、このようなコンテンツ配信システム及びデジタル放送受信機として実現できるだけでなく、そのようなコンテンツ配信システムで実行されるコンテンツ配信方法、及びそのようなデジタル放送受信機で実行されるデジタル放送受信方法として実現することもできる。また、コンピュータを用いて前記コンテンツ配信方法及び前記デジタル放送受信方法を実行するためのプログラム及びそのようなプログラムを非一時的に格納する記録媒体として実現することもできる。
【発明の効果】
【００２１】
本発明に係るコンテンツ配信システム及びデジタル放送受信機によれば、１つの放送波を介して受信機ごとに異なるコンテンツを配信するために適したコンテンツ配信システムを提供することができる。
【図面の簡単な説明】
【００２２】
【図１】実施の形態１に係るコンテンツ配信システムの機能的な構成の一例を示すブロック図である。
【図２】実施の形態１に係るコンテンツ管理サーバの機能的な構成の一例を示すブロック図である。
【図３】実施の形態１に係るデジタル放送送信機の機能的な構成の一例を示すブロック図である。
【図４】実施の形態１に係るデジタル放送受信機の機能的な構成の一例を示すブロック図である。
【図５】実施の形態１に係るコンテンツ管理サーバの動作の一例を示すフローチャートである。
【図６】実施の形態１に係るデジタル放送送信機の動作の一例を示すフローチャートである。
【図７】実施の形態１に係るデジタル放送受信機の動作の一例を示すフローチャートである。
【図８】実施の形態１に係る位置情報の一例を示す図である。
【図９】実施の形態１に係る設置情報の一例を示す図である。
【図１０】実施の形態１に係る属性情報の一例を示す図である。
【図１１】実施の形態１に係るコンテンツ管理情報の一例を示す図である。
【図１２】実施の形態１に係る送信指示情報の一例を示す図である。
【図１３】ＩＳＯ／ＩＥＣ１３８１８−１で規定されるＴＳ＿ｐｒｏｇｒａｍ＿ｍａｐ＿ｓｅｃｔｉｏｎのデータ構造を示す図である。
【図１４】実施の形態１に係る宛先受信機記述子の一例を示す図である。
【図１５】ＩＳＯ／ＩＥＣ１３８１８−６で規定されるＤＳＭＣＣ＿ｓｅｃｔｉｏｎのデータ構造を示す図である。
【発明を実施するための形態】
【００２３】
以下、本発明の実施の形態について、図面を用いて詳細に説明する。なお、以下で説明する実施の形態は、いずれも本発明の一具体例を示すものである。以下の実施の形態で示される数値、データ構造、構成要素、構成要素の配置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００２４】
（実施の形態１）
実施の形態１に係るコンテンツ配信システムは、１つの放送波を介して受信機ごとに異なるコンテンツを配信するために適したコンテンツ配信システムである。以下では、受信機から所定の範囲内に位置する携帯端末の利用者に適したコンテンツを受信機ごとに配信するコンテンツ配信システムの例を用いて説明する。
【００２５】
図１は、実施の形態１に係るコンテンツ配信システムの機能的な構成の一例を示すブロック図である。図１に示されるコンテンツ配信システム１は、コンテンツの配信を管理するコンテンツ管理サーバ１０、受信機ごとのコンテンツをデジタル放送信号９３に多重化して送信するデジタル放送送信機２０、及び受信機ＩＤ３４１が定められ、受信したコンテンツを情報提供範囲３９内の利用者に提示するデジタル放送受信機３０から構成される。図１には、さらに、通信網８０及び携帯端末８１、８２、８３が示されている。
【００２６】
通信網８０は、例えば、インターネット又は携帯電話網である。携帯端末８１、８２、８３は、固有の端末ＩＤを用いて通信網８０に無線接続し、かつ、現在位置が特定される通信装置である。携帯端末８１、８２、８３の現在位置は、例えば、ＧＰＳ（Ｇｌｏｂａｌ  Ｐｏｓｉｔｉｏｎｉｎｇ  Ｓｙｓｔｅｍ）を用いて、携帯端末８１、８２、８３自らが特定してもよい。また、携帯端末８１、８２、８３の現在位置は、携帯端末８１、８２、８３が通信網８０へ接続されているアクセスポイントや基地局の位置により、通信網８０によって特定されてもよい。携帯端末８１、８２、８３の現在位置を示す位置情報９１が、通信網８０を介して、コンテンツ管理サーバ１０へ送信される。
【００２７】
図２は、コンテンツ管理サーバ１０の機能的な構成の一例を示すブロック図である。図２に示されるように、コンテンツ管理サーバ１０は、コンテンツの配信を管理するコンピュータ装置であって、通信部１１、処理部１２、及び記憶部１３を備えている。
【００２８】
通信部１１は、携帯端末８１、８２、８３から通信網８０を介して位置情報９１を受信し、また、デジタル放送送信機２０にコンテンツの送信を指示するための送信指示情報９２を送信する部である。通信部１１は、例えば、ネットワークアダプタなどのハードウェアで構成される。
【００２９】
処理部１２は、位置情報９１を基に送信指示情報９２を生成する部である。送信指示情報９２は、デジタル放送受信機３０の受信機ＩＤとデジタル放送受信機３０に送信されるべきコンテンツとを示す。処理部１２は、例えば、プロセッサがプログラムを実行することによって発揮されるソフトウェア機能で構成される。
【００３０】
記憶部１３は、送信指示情報９２を生成するために参照される情報として、例えば、デジタル放送受信機３０の設置場所を表す設置情報１３１、携帯端末８１、８２、８３の利用者の属性を表す属性情報１３２、及び、コンテンツ管理サーバ１０が管理するコンテンツのリストを表すコンテンツ管理情報１３３を保持しており、さらに、コンテンツ１３４そのものを保持していてもよい。記憶部１３は、例えば、ハードディスク装置や半導体メモリ装置などで構成される。
【００３１】
図３は、デジタル放送送信機２０の機能的な構成の一例を示すブロック図である。図３に示されるように、デジタル放送送信機２０は、受信機ごとに宛てられたコンテンツを放送波で送信するデジタル放送送信装置であって、通信部２１、処理部２２、及び送信部２３を備えている。
【００３２】
通信部２１は、コンテンツ管理サーバ１０から送信指示情報９２を受信し、かつ送信指示情報９２で示されるコンテンツを当該コンテンツの格納場所から受信する部である。通信部２１は、例えば、ネットワークアダプタなどのハードウェアで構成される。
【００３３】
処理部２２は、受信機ＩＤとコンテンツ配信用のストリーム９５との関連付けを示す制御情報９４と、ストリーム９５とを、トランスポートストリームに多重化する部である。処理部２２は、例えば、ＤＳＰ（Ｄｉｇｉｔａｌ  Ｓｉｇｎａｌ  Ｐｒｏｃｅｓｓｏｒ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハードウェア、又はプロセッサがプログラムを実行することによって発揮されるソフトウェア機能、若しくはその両方の組み合わせによって構成される。
【００３４】
送信部２３は、前記トランスポートストリームをデジタル放送信号９３に変調して送信する部である。送信部２３は、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調器、パワーアンプなどのハードウェアで構成される。
【００３５】
図４は、デジタル放送受信機３０の機能的な構成の一例を示すブロック図である。図４に示されるように、デジタル放送受信機３０は、受信部３１、処理部３２、提示部３３、及び記憶部３４を備えている。
【００３６】
受信部３１は、デジタル放送信号９３を受信する部である。受信部３１は、例えば、チューナ、ＯＦＤＭ復調器などのハードウェアで構成される。
【００３７】
処理部３２は、制御情報９４によってデジタル放送受信機３０に関連付けられたストリーム９５からからコンテンツを取得して再生する部である。処理部３２は、例えば、ＤＳＰやＡＳＩＣなどのハードウェア、又はプロセッサがプログラムを実行することによって発揮されるソフトウェア機能、若しくはその両方の組み合わせによって構成される。
【００３８】
提示部３３は、再生されたコンテンツを利用者に提示する部である。提示部３３は、例えば、ディスプレイやスピーカで構成される。
【００３９】
記憶部３４は、デジタル放送受信機３０に定められた受信機ＩＤ３４１を保持している部である。記憶部３４は、さらに、コンテンツ３４２を保持してもよい。記憶部３４は、例えば、ハードディスク装置や半導体メモリ装置などで構成される。
【００４０】
次に、上述のように構成されるコンテンツ配信システム１の動作について、図５〜７に示されるフローチャート、及び、図８〜１５に示される上述の各種情報の一例を参照しながら説明する。
【００４１】
まず、コンテンツ管理サーバ１０の動作について説明する。
【００４２】
図５は、コンテンツ管理サーバ１０の動作の一例を示すフローチャートである。
【００４３】
通信部１１は、携帯端末８１、８２、８３から位置情報９１を受信する（Ｓ１０１）。
【００４４】
図８は、位置情報９１の一例を示す図である。図８に示すように、位置情報９１は、携帯端末８１、８２、８３の各々について、端末ＩＤと現在位置を示す緯度及び経度とを表してもよい。図８において、携帯端末８１、８２、８３の端末ＩＤが、Ｔ１、Ｔ２、Ｔ３と表されている。
【００４５】
処理部１２は、通信部１１で受信された位置情報９１と、記憶部１３に保持されている設置情報１３１とを用いて、前記複数の携帯端末の中から前記デジタル放送受信機から所定の範囲内に位置する１以上の携帯端末を特定する（Ｓ１０２）。
【００４６】
図９は、設置情報１３１の一例を示す図である。図９に示すように、設置情報１３１は、デジタル放送受信機３０の、受信機ＩＤ、設置位置を示す緯度と経度、及び情報提供範囲を表してもよい。図９において、デジタル放送受信機３０の受信機ＩＤが、Ｒ１と表されている。情報提供範囲は、設置位置からの距離を表してもよい。処理部１２は、位置情報９１及び設置情報１３１を用いて、デジタル放送受信機３０から携帯端末８１、８２、８３の各々までの距離を算出し、算出された距離が前記情報提供範囲で示される距離と等しいかより短い携帯端末として、例えば、携帯端末８１、８２を特定する。
【００４７】
処理部１２は、特定された携帯端末に応じたコンテンツ（より具体的には、特定された携帯端末の利用者に適したコンテンツ）を、コンテンツ管理サーバ１０が管理するコンテンツの中から選択する（Ｓ１０３）。
【００４８】
図１０は、属性情報１３２の一例を示す図である。図１０に示すように、属性情報１３２は、携帯端末８１、８２、８３の各々について、端末ＩＤと利用者の属性である年齢、性別、及び嗜好とを表してもよい。
【００４９】
図１１は、コンテンツ管理情報１３３の一例を示す図である。図１１に示すように、コンテンツ管理情報１３３は、コンテンツ管理サーバ１０が管理するコンテンツの各々について、当該コンテンツが適する利用者の属性である嗜好、年齢、及び性別と、当該コンテンツの格納場所を示すＵＲＬ（Ｕｎｉｆｏｒｍ  Ｒｅｓｏｕｒｃｅ  Ｌｏｃａｔｏｒ）とを表してもよい。処理部１２は、例えば、選択された携帯端末８１、８２の利用者の属性を属性情報１３２から参照し、参照された属性と一致する属性を持つコンテンツとしてＵＲＬ１、ＵＲＬ３で示されるコンテンツとを、コンテンツ管理情報１３３から選択する。
【００５０】
処理部１２は、選択されたコンテンツの送信を指示するための送信指示情報９２を生成し、通信部１１は、生成された送信指示情報９２をデジタル放送送信機２０へ送信する（Ｓ１０４）。
【００５１】
図１２は、送信指示情報９２の一例を示す図である。図１２に示すように、送信指示情報９２は、デジタル放送受信機３０の受信機ＩＤと選択されたコンテンツのＵＲＬとを表してもよい。
【００５２】
次に、デジタル放送送信機２０の動作について説明する。
【００５３】
図６は、デジタル放送送信機２０の動作の一例を示すフローチャートである。
【００５４】
通信部２１は、送信指示情報９２をコンテンツ管理サーバ１０から受信する（Ｓ２０１）。
【００５５】
処理部２２は、送信指示情報９２で示される受信機ＩＤとコンテンツ送信用のストリーム９５との関連付けを示す制御情報９４を生成する（Ｓ２０２）。
【００５６】
図１３は、ＩＳＯ／ＩＥＣ１３８１８−１で規定されるＴＳ＿ｐｒｏｇｒａｍ＿ｍａｐ＿ｓｅｃｔｉｏｎを示す図である。ＴＳ＿ｐｒｏｇｒａｍ＿ｍａｐ＿ｓｅｃｔｉｏｎは、制御情報９４の一例である。図１３に示すように、ＴＳ＿ｐｒｏｇｒａｍ＿ｍａｐ＿ｓｅｃｔｉｏｎのいわゆる第２ループには、１以上のエレメンタリストリームの各々について、当該ストリームの形式ｓｔｒｅａｍ＿ｔｙｐｅ（Ａ部）、当該ストリームを構成するパケットの識別子ｅｌｅｍｅｎｔａｒｙ＿ＰＩＤ（Ｂ部）、及び当該ストリームに関する記述子ｄｅｓｃｔｉｐｔｏｒ（Ｃ部）が格納される。
【００５７】
図１４は、コンテンツ配信システム１で新たに定義されるｄｉｇｉｔａｌ＿ｓｉｎａｇｅ＿ｄｅｓｃｒｉｐｔｏｒを示す図である。ｄｉｇｉｔａｌ＿ｓｉｎａｇｅ＿ｄｅｓｃｒｉｐｔｏｒは、宛先受信機記述子９４ａの一例であり、ＴＳ＿ｐｒｏｇｒａｍ＿ｍａｐ＿ｓｅｃｔｉｏｎの前記１以上のエレメンタリストリームのうちの１つのストリームに関するｄｅｓｃｔｉｐｔｏｒ（Ｃ部）に挿入される。図１４に示すように、ｄｉｇｉｔａｌ＿ｓｉｎａｇｅ＿ｄｅｓｃｒｉｐｔｏｒには、デジタル放送受信機を識別する１以上のｄｅｖｉｃｅ＿ｉｄが格納される。
【００５８】
このようなデータ構造に従って、処理部２２は、例えば、コンテンツが宛てられるデジタル放送受信機３０の受信機ＩＤを、図１４の宛先受信機記述子９４ａに格納する。そして、当該受信機ＩＤが格納された宛先受信機記述子９４ａを、図１３のコンテンツ配信用のストリーム９５に関するｄｅｓｃｔｉｐｔｏｒ（Ｃ部）に挿入する。処理部２２は、さらに、ストリーム９５を構成するパケットの識別子をストリーム９５に関するｅｌｅｍｅｎｔａｒｙ＿ＰＩＤ（Ｂ部）に挿入する。これにより、ストリーム９５の宛先がデジタル放送受信機３０であることが示される。
【００５９】
通信部２１は、送信指示情報９２で示されるＵＲＬで示される格納場所からコンテンツを受信し、処理部２２は、受信されたコンテンツをストリーム９５に格納する（Ｓ２０３）。
【００６０】
そして、処理部２２は、制御情報９４とストリーム９５とをデジタル放送信号９３に多重化し、送信部２３は、当該デジタル放送信号９３を送信する（Ｓ２０４）。
【００６１】
次に、デジタル放送受信機３０の動作について説明する。
【００６２】
図７は、デジタル放送受信機３０の動作の一例を示すフローチャートである。
【００６３】
受信部３１は、デジタル放送信号９３を受信する（Ｓ３０１）。
【００６４】
処理部３２は、受信されたデジタル放送信号９３から制御情報９４を分離する（Ｓ３０２）。処理部３２は、分離された制御情報９４から、ストリーム９５を構成するパケットの識別子及び宛先受信機記述子９４ａを取得し、記憶部３４に保持されている受信機ＩＤ３４１と、分離された制御情報９４中の受信機ＩＤとを比較する（Ｓ３０３）。
【００６５】
両者が一致する場合（Ｓ３０４でＹＥＳ）、処理部３２は、制御情報９４中のパケットの識別子と同じ識別子を持つパケットをデジタル放送信号９３から取り出してつなぎ合わせることで、ストリーム９５を再構成する。そして、再構成されたストリーム９５からコンテンツを取得する（Ｓ３０５）。処理部３２は、取得されたコンテンツを、記憶部３４にコンテンツ３４２として蓄積してもよい。
【００６６】
処理部３２は、取得された前記コンテンツを、例えば、事前に設定された制御プログラム、又は、デジタル放送から取得した制御プログラムに従って再生する（Ｓ３０６）。再生されたコンテンツは、提示部３３において利用者に提示される。
【００６７】
以上、コンテンツ配信システム１において、デジタル放送受信機３０に宛てられたコンテンツをデジタル放送信号９３で送信する動作について説明した。
【００６８】
コンテンツ配信システム１は、同様の動作を、互いに異なる受信機ＩＤを持つ複数のデジタル放送受信機３０の各々について行うことにより、各デジタル放送受信機３０に個別のコンテンツを配信することができる。
【００６９】
複数のデジタル放送受信機３０に個別のコンテンツを配信する場合、コンテンツの配信用に、例えば、当該複数のデジタル放送受信機３０と一対一で対応する複数のストリーム９５が用いられる。複数のストリーム９５の各々を構成するパケットの識別子及び宛先受信機記述子９４ａが、対応するストリーム９５に関する制御情報９４のｅｌｅｍｅｎｔａｒｙ＿ＰＩＤ（Ｂ部）及びｄｅｓｃｔｉｐｔｏｒ（Ｃ部）に格納される。制御情報９４と複数のストリーム９５とが、デジタル放送信号９３に多重化され、送信される。
【００７０】
このような構成によれば、宛先受信機記述子がコンテンツ配信用のストリームに関連付けられるので、コンテンツを配信する時間帯をデジタル放送受信機ごとに管理する必要がなく、また、複数のデジタル放送受信機に宛てられたコンテンツを、時間帯の制約を受けることなく、効率よく柔軟に多重化して配信することが可能になる。
【００７１】
また、コンテンツ配信システム１は、互いに異なる受信機ＩＤを持つ複数のデジタル放送受信機３０に、同一のコンテンツを配信することもできる。
【００７２】
複数のデジタル放送受信機３０に同一のコンテンツを配信する場合、コンテンツの配信用には、例えば、単一のストリーム９５で足りる。当該複数のデジタル放送受信機３０の受信機ＩＤを表す宛先受信機記述子９４ａが、ストリーム９５に関する制御情報９４のｄｅｓｃｔｉｐｔｏｒ（Ｃ部）に格納される。制御情報９４とストリーム９５とが、デジタル放送信号９３に多重化され、送信される。
【００７３】
このような構成によれば、１つのストリームで同一のコンテンツを複数のデジタル放送受信機３０に配信できる。
【００７４】
（実施の形態２）
実施の形態２では、データカルーセル伝送方式でコンテンツを配信するコンテンツ配信システムについて説明する。
【００７５】
デジタル放送規格であるＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ）やＤＶＢ（Ｄｉｇｉｔａｌ  Ｖｉｄｅｏ  Ｂｒｏａｄｃａｓｔｉｎｇ）では、データカルーセル伝送方式でデータ配信を行うための仕組みであるＤＳＭ−ＣＣ（Ｄｉｇｉｔａｌ  ｓｔｏｒａｇｅ  ｍｅｄｉａ  ｃｏｍｍａｎｄ  ａｎｄ  ｃｏｎｔｒｏｌ）が規定されている。
【００７６】
ＤＳＭ−ＣＣのストリームは、図１３のＴＳ＿ｐｒｏｇｒａｍ＿ｍａｐ＿ｓｅｃｔｉｏｎ内のｓｔｒｅａｍ＿ｔｙｐｅ（Ａ部）に定数０ｘ０Ｂ（ＩＳＯ／ＩＥＣ  １３８１８−６  ｔｙｐｅ  Ｂ）又は定数０ｘ０Ｄ（ＩＳＯ／ＩＥＣ  １３８１８−６  ｔｙｐｅ  Ｄ）を格納することで識別される。
【００７７】
図１５は、ＩＳＯ／ＩＥＣ１３８１８−６で規定されるＤＳＭＣＣ＿ｓｅｃｔｉｏｎのデータ構造を示す図である。ＤＳＭ−ＣＣのストリームには、図１５に示されるデータ構造に従って、コンテンツが格納される。
【００７８】
具体的に、ＤＳＭ−ＣＣでは、コンテンツは１以上のファイルにより構成され、個々のファイルはモジュールとして管理される。
【００７９】
デジタル放送送信機２０は、配信されるモジュールの一覧データをＤＳＭＣＣ＿ｓｅｃｔｉｏｎのｕｓｅｒＮｅｔｗｏｒｋＭｅｓｓａｇｅ（Ｄ部）に格納する。また、配信されるモジュールの本体データを、ブロックに分割した形式で、ＤＳＭＣＣ＿ｓｅｃｔｉｏｎのｄｏｗｎｌｏａｄＤａｔａＭｅｓｓａｇｅ（Ｅ部）に格納する。
【００８０】
デジタル放送送信機２０は、配信されるモジュールの一覧データと本体データとが格納されたＤＳＭＣＣ＿ｓｅｃｔｉｏｎをコンテンツ配信用のストリーム９５に格納し、デジタル放送信号９３に多重化して繰り返し送信する。ストリーム９５の宛先がデジタル放送受信機３０であることは、実施の形態１と同様に、制御情報９４によって示される。
【００８１】
デジタル放送受信機３０は、デジタル放送信号９３から、実施の形態１と同様にして、ストリーム９５を再構成する。実施の形態２では、特に、ｓｔｒｅａｍ＿ｔｙｐｅに定数０ｘ０Ｂ又は定数０ｘ０Ｄが指定されていて、かつ受信機ＩＤが一致するストリームが、ストリーム９５として再構成される。取得されたコンテンツは、記憶部３４にコンテンツ３４２として蓄積され、再生される。
【００８２】
以上説明した構成によれば、コンテンツがデータカルーセル伝送方式で送信されるので、制御プログラムによって、事前にコンテンツを受信して記憶部３４に保存しておき、指定の時間にコンテンツを再生することができる。事前にコンテンツを配信するタイミングとして、例えば、深夜などテレビ放送が休止している時間帯を有効に活用してもよい。
【００８３】
以上、本発明の実施の形態に係るコンテンツ配信システムについて説明したが、本発明は、この実施の形態に限定されるものではない。本発明の趣旨を逸脱しない限り、実施の形態を組み合わせた形態や、当業者が思いつく各種変形を本実施の形態に施した形態は、本発明の範囲内に含まれ得る。
【産業上の利用可能性】
【００８４】
本発明は、例えば、デジタルサイネージシステムや家庭用テレビ受信機に広告を配信するシステムなど、１つの放送波を介して受信機ごとに異なるコンテンツを配信するコンテンツ配信システムに広く利用できる。
【符号の説明】
【００８５】
１    コンテンツ配信システム
１０    コンテンツ管理サーバ
１１    通信部
１２    処理部
１３    記憶部
２０    デジタル放送送信機
２１    通信部
２２    処理部
２３    送信部
３０    デジタル放送受信機
３１    受信部
３２    処理部
３３    提示部
３４    記憶部
３９    情報提供範囲
８０    通信網
８１、８２、８３  携帯端末
９１    位置情報
９２    送信指示情報
９３    デジタル放送信号
９４    制御情報
９４ａ  宛先受信機記述子
９５    ストリーム
１３１    設置情報
１３２    属性情報
１３３    コンテンツ管理情報
１３４    コンテンツ
３４１    受信機ＩＤ
３４２    コンテンツ
【図１】
2015226245.tif 000003
【図２】
2015226245.tif 000004
【図３】
2015226245.tif 000005
【図４】
2015226245.tif 000006
【図５】
2015226245.tif 000007
【図６】
2015226245.tif 000008
【図７】
2015226245.tif 000009
【図８】
2015226245.tif 000010
【図９】
2015226245.tif 000011
【図１０】
2015226245.tif 000012
【図１１】
2015226245.tif 000013
【図１２】
2015226245.tif 000014
【図１３】
2015226245.tif 000015
【図１４】
2015226245.tif 000016
【図１５】
2015226245.tif 000017